(57)【要約】【課題】ダンパ室を構成するケースの端部にカバーを適正に固定することのできる流体ダンパ装置、および流体ダンパ装置を備えたダンパ付き機器を提供すること。【解決手段】流体ダンパ装置１０において、ダンパ室を構成する筒状のケース２０の端部２５には、回転軸４０が貫通する穴６１を備えたカバー６０が固定されている。カバー６０は、カバー６０の外周面６２に形成された雄ねじ６６と、ケース２０の内周面２２０に形成された雌ねじ２２６とによってケース２０に固定されている。ケース２０の内周面２２０には、カバー６０が一方側Ｌ１から当接する段部２２７が形成されており、カバー６０の外周面６２とケース２０の内周面２２０とは、段部２２７より一方側Ｌ１で溶着されている。【選択図】図３
2016223538.tif 000002
【特許請求の範囲】
【請求項１】
ダンパ室を構成する筒状のケースと、
前記ケース内に挿入された回転軸と、
前記ケース内に充填された流体と、
前記回転軸が貫通する穴を備え、前記ケースの軸線方向の一方側の端部の内側に嵌められたカバーと、
を有し、
前記ケースの内周面には、前記カバーが前記一方側から当接する段部が形成され、
前記カバーの外周面と前記ケースの内周面とは、前記段部より前記一方側で溶着されていることを特徴とする流体ダンパ装置。
【請求項２】
前記カバーの外周面および前記ケースの内周面のうちの一方面には、前記段部より前記一方側で他方面に向けて突出した凸部が形成され、
前記凸部と前記他方面とが溶着されていることを特徴とする請求項１に記載の流体ダンパ装置。
【請求項３】
前記凸部は、螺旋状に形成されてねじを構成しており、
前記他方面には、前記凸部が嵌る螺旋溝が形成されており、
前記カバーは、前記凸部と前記螺旋溝とによってねじ締め固定されていることを特徴とする請求項２に記載の流体ダンパ装置。
【請求項４】
前記カバーと前記ケースとは同一の樹脂素材からなることを特徴とする請求項１乃至３の何れか一項に記載の流体ダンパ装置。
【請求項５】
前記ケースの外径は、前記カバーの外周面と前記ケースの内周面とが溶着されている部分が、前記段部が位置する部分より小径になっていることを特徴とする請求項１乃至４の何れか一項に記載の流体ダンパ装置。
【請求項６】
前記カバーは、全体が前記ケース内に位置することを特徴とする請求項１乃至５の何れか一項に記載の流体ダンパ装置。
【請求項７】
請求項１乃至６の何れか一項に記載の流体ダンパ装置を備えたダンパ付き機器であって、
前記回転軸には、機器本体に対して回転移動する開閉部材が取り付けられていることを特徴とするダンパ付き機器。
【請求項８】
前記開閉部材は、洋式便器の便座および便蓋の少なくとも一方であることを特徴とする請求項７に記載のダンパ付き機器。
【発明の詳細な説明】
【技術分野】
【０００１】
本発明は、ケースと回転軸との間に流体が充填された流体ダンパ装置およびダンパ付き機器に関するものである。
【背景技術】
【０００２】
ケースと回転軸との間に流体が充填された流体ダンパ装置では、ケースの軸線方向の一方側の端部に、回転軸が貫通する穴を備えたカバーが固定されている。カバーをケースに固定するにあたっては、超音波溶着を利用した方法が提案されている。かかる超音波溶接では、カバーの挿入方向の後側の端面にホーンを当接させて超音波を発振し、軸線方向から見たときに重なっているカバーの外周面とケースの内周面とを溶融させながら、カバーをケース内に向かって押し込む（特許文献１参照）。
【先行技術文献】
【特許文献】
【０００３】
【特許文献１】特開２０１２−２０２５０４号公報
【発明の概要】
【発明が解決しようとする課題】
【０００４】
しかしながら、カバーの外周面とケースの内周面とを超音波説着しながら、カバーをケース内に向かって押し込む構成では、カバーの寸法がばらつくと、カバーのケース内への押し込み量が変動する。その結果、ダンパ室内の容積が変動し、ダンパ性能がばらつくという問題点がある。また、カバーのケース内への押し込み量が変動すると、カバーと回転軸とが超音波溶接されてしまい、回転軸が回転できなくなるおそれがある。
【０００５】
以上の問題点に鑑みて、本発明の課題は、ダンパ室を構成するケースの端部にカバーを適正に固定することのできる流体ダンパ装置、および流体ダンパ装置を備えたダンパ付き機器を提供することにある。
【課題を解決するための手段】
【０００６】
上記課題を解決するために、本発明に係る流体ダンパ装置は、ダンパ室を構成する筒状のケースと、前記ケース内に挿入された回転軸と、前記ケース内に充填された流体と、前記回転軸が貫通する穴を備え、前記ケースの軸線方向の一方側の端部の内側に嵌められたカバーと、を有し、前記ケースの内周面には、前記カバーが前記一方側から当接する段部が形成され、前記カバーの外周面と前記ケースの内周面とは、前記段部より前記一方側で溶着されていることを特徴とする。
【０００７】
本発明では、カバーの外周面とケースの内周面とが溶着されているので、カバーをケース内に固定することができる。また、ケースの内周面には、カバーが一方側から当接する段部が形成されているため、カバーのケース内への押し込み量は、段部によって規制される。従って、カバーのケース内への押し込み量が安定する。それ故、ダンパ室内の容積が変動することを抑制することができるので、ダンパ性能が安定する。また、カバーのケース内への押し込み量が段部によって規制されるため、カバーの外周面とケースの内周面とを溶着する際、カバーと回転軸とが溶着されることを防止することができる。
【０００８】
本発明において、前記カバーの外周面および前記ケースの内周面のうちの一方面には、前記段部より前記一方側で他方面に向けて突出した凸部が形成され、前記凸部と前記他方面とが溶着されている態様を採用することができる。
【０００９】
本発明において、前記凸部は、螺旋状に形成されてねじを構成しており、前記他方面には、前記凸部が嵌る螺旋溝が形成されており、前記カバーは、前記凸部と前記螺旋溝とによってねじ締め固定されていることが好ましい。かかる構成によれば、カバーとケースとの軸線方向における固定強度が高い。このため、ダンパ室内の圧力が過度に高まった際でも、カバーが外側に押し出されるという事態が発生しにくい。また、溶着によってカバーの周り止が行われているので、ケースの内側でカバーが回ってカバーの位置がずれることを確実に防止することができる。
【００１０】
本発明において、前記カバーと前記ケースとは同一の樹脂素材からなることが好ましい。かかる構成によれば、溶着を確実に行うことができる。
【００１１】
本発明において、前記ケースの外径は、前記カバーの外周面と前記ケースの内周面とが溶着されている部分が、前記段部が位置する部分より小径になっていることが好ましい。かかる構成によれば、ケースの外周面において、超音波溶着用のホーンを当接させる個所が分かりやすい。
【００１２】
本発明において、前記カバーは、全体が前記ケース内に位置することが好ましい。かかる構成によれば、流体ダンパ装置の軸線方向の寸法を小型化することができる。
【００１３】
本発明に係る流体ダンパ装置を備えたダンパ付き機器では、例えば、前記回転軸には、機器本体に対して回転移動する開閉部材が取り付けられている構成を採用することができる。
【００１４】
本発明において、前記開閉部材は、例えば、洋式便器の便座および便蓋の少なくとも一方である。
【発明の効果】
【００１５】
本発明に係る流体ダンパ装置およびダンパ付き機器では、カバーの外周面とケースの内周面とは溶着されているので、カバーをケース内で固定することができる。また、ケースの内周面には、カバーが一方側から当接する段部が形成されているため、カバーのケース内への押し込み量は、段部によって規制される。このため、カバーのケース内への押し込み量が安定する。それ故、ダンパ室内の容積が変動することを抑制することができるので、ダンパ性能が安定する。また、カバーのケース内への押し込み量が段部によって規制されるため、カバーの外周面とケースの内周面とを溶着する際、カバーと回転軸とが溶着されることを防止することができる。
【図面の簡単な説明】
【００１６】
【図１】本発明の実施の形態１に係る流体ダンパ装置が搭載された洋式便器を備えた洋式トイレユニットの説明図である。
【図２】本発明の実施の形態１に係る流体ダンパ装置の斜視図である。
【図３】図２に示す係る流体ダンパ装置の横断面図である。
【図４】図２に示す流体ダンパ装置の縦断面図である。
【図５】図２に示す流体ダンパ装置の分解斜視図である。
【図６】図２に示す流体ダンパ装置の弁体等を軸線方向の他方側からみた斜視図である。
【図７】本発明の実施の形態１の変形例に係る流体ダンパ装置の断面図である。
【図８】本発明の実施の形態２に係る流体ダンパ装置の断面図である。
【発明を実施するための形態】
【００１７】
以下、本発明を実施するための形態について、図面を参照しながら説明する。なお、以下の説明においては、ロータ３０において、回転軸４０の中心軸が延在する方向を軸線Ｌ方向とし、軸線Ｌ方向において、回転軸４０がケース２０から突出している側を一方側Ｌ１とし、回転軸４０がケース２０から突出している側とは反対側を他方側Ｌ２として説明する。
【００１８】
［実施の形態１］
（ダンパ付き機器および流体ダンパ装置１０の全体構成）
図１は、本発明の実施の形態１に係る流体ダンパ装置１０が搭載された洋式便器１を備えた洋式トイレユニット１００の説明図である。図２は、本発明の実施の形態１に係る流体ダンパ装置１０の斜視図であり、図２（ａ）、（ｂ）は各々、流体ダンパ装置１０を軸線Ｌ方向の一方側Ｌ１からみた斜視図、および流体ダンパ装置１０を軸線Ｌ方向の他方側Ｌ２からみた斜視図である。
【００１９】
図１に示す洋式トイレユニット１００は、洋式便器１（ダンパ付き機器）および水タンク３を備えている。洋式便器１は、便器本体２（機器本体）、樹脂製の便座５（開閉部材）、樹脂製の便蓋６（開閉部材）、およびユニットカバー７等を備えている。ユニットカバー７の内部には、後述する流体ダンパ装置１０が弁座用および弁蓋用として内蔵されており、便座５および便蓋６は各々、流体ダンパ装置１０を介して便器本体２に連結されている。ここで、便座５に連結された流体ダンパ装置１０、および便蓋６に連結された流体ダンパ装置１０としては、同一構成のものを用いることができるので、以下の説明では、便座５に連結された流体ダンパ装置１０を中心に説明する。
【００２０】
図２に示すように、流体ダンパ装置１０は、他方側Ｌ２に円柱状の流体ダンパ装置本体１０ａを有している。流体ダンパ装置本体１０ａから一方側Ｌ１には軸状の連結部１０ｂ（出力軸）が突出しており、連結部１０ｂは、便座５に連結される。かかる流体ダンパ装置１０は、起立している便座５が便器本体２に被さるように倒れようとする際、それに抗する力（負荷）を発生させ、便座５が倒れる速度を低下させる。連結部１０ｂは、相対向する面が平坦面１０ｃになっており、かかる平坦面１０ｃによって、連結部１０ｂに対する便座５の空周りが防止されている。
【００２１】
（流体ダンパ装置１０の全体構成）
図３は、図２に示す流体ダンパ装置１０の横断面図であり、図３（ａ）、（ｂ）、（ｃ）は、弁体５０を通る位置で軸線Ｌに沿う面で流体ダンパ装置１０を切断したときの断面図、仕切り用凸部２３を通る位置で軸線Ｌに沿う面で流体ダンパ装置１０を切断したときの断面図、およびカバー６０付近を拡大して示す断面図である。図４は、図２に示す流体ダンパ装置１０の縦断面図であり、弁体５０を通る位置で軸線Ｌに直交する面で流体ダンパ装置１０を切断したときの断面図である。図５は、図２に示す流体ダンパ装置１０の分解斜視図であり、図５（ａ）、（ｂ）は各々、ケース２０からカバー６０を外した状態を軸線Ｌ方向の一方側Ｌ１からみた分解斜視図、およびケース２０から回転軸４０等を外した状態を軸線Ｌ方向の一方側Ｌ１からみた分解斜視図である。図６は、図２に示す流体ダンパ装置１０の弁体５０等を軸線Ｌ方向の他方側Ｌ２からみた斜視図である。
【００２２】
図３、図４および図５に示すように、流体ダンパ装置１０は、他方側Ｌ２に底壁２１を備えた筒状のケース２０と、他方側Ｌ２がケース２０の内側に配置されたロータ３０と、一方側Ｌ１でケース２０の開口２９を塞ぐ円環状のカバー６０とを有している。カバー６０には、ロータ３０の回転軸４０が貫通する穴６１が形成されている。本形態において、ケース２０およびカバー６０はいずれも、ポリブチレンテレフタレート（ＰＢＴ）やポリオキシメチレン（ＰＯＭ）等の同一の樹脂素材からなる樹脂成形品である。
【００２３】
ケース２０は、底壁２１の外周縁から一方側Ｌ１に向けて延在する円筒状の胴部２２を有している。胴部２２は、周方向において内径が同一である。ケース２０において、底壁２１の中央には、他方側Ｌ２に凹んでロータ３０の回転軸４０の他方側Ｌ２の端部４９を回転可能に支持する円形の凹部２１０が形成されている。
【００２４】
胴部２２の内周面２２０から径方向内側には、２つの仕切り用凸部２３が突出している。２つの仕切り用凸部２３は、周方向で１８０°ずれた角度位置に形成されている。本形態において、２つの仕切り用凸部２３はいずれも、他方側Ｌ２の端部が底壁２１と繋がっている。仕切り用凸部２３は、断面台形形状であり、径方向外側から内側に向かって周方向の寸法（厚さ）が薄くなっている。
【００２５】
ロータ３０は、軸線Ｌ方向の他方側Ｌ２がケース２０の内側に配置された回転軸４０と、回転軸４０に保持された弁体５０とを備えている。回転軸４０は、樹脂製であり、ケース２０の内側に位置する丸棒状の第１軸部４１と、第１軸部４１よりも一方側Ｌ１で延在する第２軸部４２とを有している。第１軸部４１は、回転軸４０の他方側Ｌ２の端部４９より外径が大であり、第２軸部４２は、第１軸部４１より外径が大である。本形態において、端部４９は円筒状に形成されており、樹脂成形時にゲートに残った樹脂が飛び出さない構造になっている。なお、第２軸部４２は、第１軸部４１より外径が小であってもよい。また、端部４９は、長円状の筒部になっていてもよい。
【００２６】
回転軸４０において、第１軸部４１と第２軸部４２との間には、第１軸部４１に対して一方側Ｌ１で隣接する円形の第１フランジ部４３と、第１フランジ部４３に対して所定の間隔をあけて一方側Ｌ１で対向する円形の第２フランジ部４４とが形成されている。このため、第１フランジ部４３と第２フランジ部４４との間には環状の周溝４５が形成されている。従って、周溝４５にＯリング７０を装着して回転軸４０の第１軸部４１をケース２０の内側に挿入すれば、Ｏリング７０がケース２０の胴部２２の内周面２２０のうち、他方側Ｌ２に位置する部分２２９に圧縮された状態で当接し、ケース２０と回転軸４０とに挟まれた空間が密閉される。また、ケース２０の内部には、底壁２１と、第１軸部４１において一方側Ｌ１で対向する第１フランジ部４３とによって区画された空間がダンパ室１１として密閉される。その際、ダンパ室１１にはオイル等の流体１２（粘性流体）が充填される。
【００２７】
その後、カバー６０を回転軸４０の第２軸部４２とケース２０の胴部２２との間に差し込み、カバー６０を固定すれば、流体ダンパ装置１０が構成される。その際、カバー６０と回転軸４０の第２フランジ部４４との間には、円環状のワッシャ７５（図５（ｂ）参照）が配置される。
【００２８】
この状態で、回転軸４０の他方側Ｌ２の端部４９は、ケース２０の底壁２１の凹部２１０に回転可能に支持されているとともに、第２軸部４２がカバー６０の穴６１の内側で回転可能に支持される。また、第２軸部４２の一部がカバー６０の穴６１を貫通し、連結部１０ｂが構成される。
【００２９】
（ダンパ室１１内の詳細構成）
図３および図４に示すように、ダンパ室１１において、ケース２０の２つの仕切り用凸部２３の径方向内側端部２３１は、回転軸４０の第１軸部４１の外周面４１０に接する。
【００３０】
図３、図４、図５および図６に示すように、回転軸４０の第１軸部４１の外周面４１０において、周方向で１８０°ずれた２箇所には、径方向外側に突出した弁体支持用凸部４６が形成されており、かかる２つの弁体支持用凸部４６の各々には、弁体５０が支持されている。２つの弁体支持用凸部４６はいずれも、回転軸４０の他方側Ｌ２の端部から第１
フランジ部４３まで軸線Ｌ方向に延在しており、２つの弁体支持用凸部４６はいずれも、一方側Ｌ１の端部が第１フランジ部４３と繋がっている。
【００３１】
弁体支持用凸部４６には、径方向外側に突出した第１凸部４６１と、第１凸部４６１に対して第２方向Ｂで隣り合う位置で径方向外側に突出する第２凸部４６２とが形成されており、第１凸部４６１と第２凸部４６２との間に弁体支持溝４６０が形成されている。第１凸部４６１および第２凸部４６２はいずれも、一方側Ｌ１の端部が第１フランジ部４３と繋がっている。
【００３２】
弁体支持溝４６０は、内周面が約１８０°を超える角度範囲にわたって湾曲した円弧状になっており、弁体支持溝４６０には弁体５０が支持されている。本形態において、第２凸部４６２は、第１凸部４６１より周方向の幅が広い。また、第１凸部４６１の先端部は、第２凸部４６２の先端部より径方向内側に位置する。また、弁体支持用凸部４６は、周方向の幅が径方向外側より径方向内側で狭くなっている。
【００３３】
弁体５０は、弁体支持溝４６０において軸線Ｌと平行な軸線周りに回転可能に支持された断面略円形の基部５１と、基部５１から径方向外側に突出して第１凸部４６１に被さるように第１方向Ａに向けて傾いた断面凸状の先端部５２とを備えており、先端部５２の径方向外側部分は、第１凸部４６１および第２凸部４６２より径方向外側に位置する。
【００３４】
（ダンパ室１１内での軸線Ｌ方向での密閉構造）
弁体５０は弁体支持用凸部４６と同様、軸線Ｌ方向に延在しており、弁体５０の一方側Ｌ１の端部５６は、第１フランジ部４３と接している。このため、弁体５０と第１フランジ部４３との間に隙間がほとんど空いていない。従って、弁体５０と第１フランジ部４３との間を流体１２が通過しないようになっている。これに対して、弁体５０の他方側Ｌ２の端部５７は、弁体支持用凸部４６の他方側Ｌ２の端部４６７よりわずかに一方側Ｌ１に位置する。このため、弁体５０に対して他方側Ｌ２では、弁体５０の他方側Ｌ２の端部５７とケース２０の底壁２１との間にはわずかな隙間が空いている。従って、流体１２は、隙間を通ってわずかに通過することができる。
【００３５】
第１軸部４１の他方側Ｌ２の端面４１７と、弁体支持用凸部４６の他方側Ｌ２の端部４６７とは連続した面を構成している。ここで、第１軸部４１の端面４１７および弁体支持用凸部４６の端部４６７と、ケース２０の底壁２１との間に隙間が存在することがあるが、第１軸部４１の他方側Ｌ２の端面４１７および弁体支持用凸部４６の他方側Ｌ２の端部４６７には、径方向に延在する第１リブ１６（図６参照）が形成されている。かかる第１リブ１６は、流体ダンパ装置１０を構成した際、第１軸部４１の端面４１７や弁体支持用凸部４６の端部４６７とケース２０の底壁２１と隙間に対応する状態にまで押し潰される。このため、第１軸部４１の端面４１７と底壁２１との間、および弁体支持用凸部４６の端面４１７と底壁２１との間を流体１２が通過しないようになっている。
【００３６】
また、仕切り用凸部２３の一方側Ｌ１の端面２３６と回転軸４０の第１フランジ部４３との間にはわずかな隙間が存在することがあるが、仕切り用凸部２３の一方側Ｌ１の端面２３６には、径方向に延在する第２リブ１７（図５（ｂ）参照）が形成されている。かかる第２リブ１７は、流体ダンパ装置１０を構成した際、仕切り用凸部２３の端面２３６と回転軸４０の第１フランジ部４３との隙間に対応する状態にまで押し潰される。このため、仕切り用凸部２３の端面２３６と回転軸４０の第１フランジ部４３との間を流体１２が通過しないようになっている。
【００３７】
（ケース２０に対するカバー６０の固定構造）
図３（ｃ）および図５において、本形態の流体ダンパ装置１０において、ケース２０に
カバー６０を固定するにあたっては、まず、ケース２０の内周面２２０には、カバー６０が一方側Ｌ１から当接する段部２２７が形成されている。また、カバー６０の他方側Ｌ２の端面６５には、環状の平面部６５１が形成されている（図３（ｃ）参照）。このため、本形態では、カバー６０をケース２０の段部２２７より一方側Ｌ１の端部２５の内側に嵌めた際、カバー６０の平面部６５１が段部２２７に当接することによって、カバー６０のケース２０内への押し込み量が制御されている。
【００３８】
また、カバー６０の外周面６２とケース２０の内周面２２０とは、段部２２７より一方側Ｌ１において、点線９０で囲んだ部分（図３（ｃ）参照）で溶着されている。本形態においては、ケース２０の一方側Ｌ１の端部２５の内側にカバー６０を嵌めた後、ケース２０の外周面２４のうち、図２に一点鎖線で示す部分２８に超音波溶着用のホーン（図示せず）を径方向外側から当接させて超音波振動を印加し、カバー６０の外周面６２とケース２０の内周面２２０とを溶着する。従って、ケース２０の外周面２４のうち、ホーンが当接した個所には、ホーンの当接に起因して浅い凹部２８０が形成されている。本形態においては、ホーンをケース２０の外周面２４のうち、周方向で離間する２個所に当接させてカバー６０の外周面６２とケース２０の内周面２２０とを溶着する。なお、ホーンの当接状態等によっては、凹部２８０が形成されないことがある。また、本形態では、ホーンをケース２０の外周面２４のうち、周方向で離間する２個所に当接させたが、ホーンを１個所あるいは３箇所以上に当接させる場合もある。
【００３９】
また、カバー６０の外周面６２およびケース２０の内周面２２０のうちの一方面には、段部２２７より一方側Ｌ１で他方面に向けて突出した凸部が形成され、凸部と他方面とが溶着されている。ここで、凸部は、螺旋状に形成されてねじを構成しており、他方面には、凸部が嵌る螺旋溝が形成されており、カバー６０は、凸部と螺旋溝とによってねじ締め固定されている。例えば、カバー６０の外周面６２には、段部２２７より一方側Ｌ１でケース２０の内周面２２０に向けて突出した凸部６６ａが形成され、凸部６６ａとケース２０の内周面２２０とが溶着されている。ここで、凸部６６ａは、カバー６０の外周面６２において螺旋状に形成されてねじを構成しており、ケース２０の内周面２２０には、凸部６６ａが嵌る螺旋溝２２６ａが形成されている。従って、カバー６０は、凸部６６ａと螺旋溝２２６ａとによってケース２０にねじ締め固定され、この状態で、凸部６６ａと螺旋溝２２６ａとが溶着されている。
【００４０】
すなわち、カバー６０の外周面６２には雄ねじ６６（凸部６６ａ）が形成されている一方、ケース２０の内周面２２０のうち、開口２９に隣接する部分２２８には雌ねじ２２６（螺旋溝２２６ａ）が形成されている。従って、カバー６０は、雄ねじ６６（凸部６６ａ）と雌ねじ２２６（螺旋溝２２６ａ）とによってねじ締め固定された後、この状態で、凸部６６ａと螺旋溝２２６ａとが溶着されている。かかる構成では、ケース２０の内周面２２０には、段部２２７より一方側Ｌ１でカバー６０の外周面６２に向けて突出した凸部（２２６ｂ）が形成され、凸部２２６ｂとカバー６０の外周面６２とが溶着されているとみなすこともできる。また、ケース２０の内周面２２０において、凸部２２６ｂは、螺旋状に形成されてねじを構成しており、カバー６０の外周面６２には、凸部２２６ｂが嵌る螺旋溝６６ｂが形成されているとみなすこともできる。
【００４１】
ここで、ケース２０の内周面２２０では、一方側Ｌ１に位置する部分２２８（雌ねじ２２６が形成されている部分）の内径が、他方側Ｌ２に位置する部分２２９の内径より大であり、一方側Ｌ１に位置する部分２２８と他方側Ｌ２に位置する部分２２９との間には、一方側Ｌ１に向く環状の段部２２７が形成されている。
【００４２】
カバー６０は、樹脂成形品であり、樹脂成形時、雄ねじ６６も同時に形成されている。従って、雄ねじ６６を切削等によって形成した場合と違って、カバー６０の他方側Ｌ２の
端面６５には、外周縁に沿って連続して延在する環状の平面部６５１が形成されている（図３（ｃ）参照）。このため、本形態では、カバー６０をケース２０に固定した際、段部２２７の径方向の幅が狭い場合でも、カバー６０の平面部６５１が段部２２７に確実に当接し、カバー６０のケース２０内への押し込み量が確実に制御される。
【００４３】
本形態において、カバー６０では、軸線Ｌ方向において外径が最大となっている部分は、雄ねじ６６が形成されている部分である。より具体的には、カバー６０は、軸線Ｌ方向の全体にわたって外径が一定であり、カバー６０の外周面６２には、軸線Ｌ方向の全体にわたって雄ねじ６６が形成されている。このため、カバー６０の全体をケース２０にねじ止めでき、カバー６０をケース２０にねじ止めした状態で、カバー６０は、全体がケース２０内に位置する。従って、ケース２０から一方側Ｌ１にカバー６０が一切突出しない構造となる。それ故、流体ダンパ装置１０の軸線Ｌ方向の寸法を小型化することができる。
【００４４】
カバー６０の一方側Ｌ１の端面６３には、周方向の複数個所に凹部６４が形成されている。本形態では、カバー６０の一方側Ｌ１の端面６３の内周縁には、周方向の３個所に凹部６４が形成されており、かかる凹部６４は、カバー６０をねじ込む際、治具（図示）を係合させて、カバー６０を回転させる。ここで、ケース２０およびカバー６０は樹脂成形品である。このため、ケース２０を成形する際、雌ねじ２２６等が同時に形成され、カバー６０を成形する際、雄ねじ６６および凹部６４は同時に形成される。
【００４５】
（動作）
図４に示すように、流体ダンパ装置１０において、図１に示す便座５が起立姿勢から平伏姿勢に回転する閉動作の際、弁体ロータ３０（回転軸４０）が軸線Ｌ周りに第１方向Ａに回転する。このため、弁体５０は、流体１２から圧力を受けて回転し、先端部５２が第２凸部４６２の側に向けて移動する。その結果、先端部５２の径方向外側部分は、ケース２０の胴部２２の内周面２２０に当接する。従って、弁体５０および弁体支持用凸部４６では、第２方向Ｂへの流体の移動が阻止される結果、ロータ３０（回転軸４０）には負荷（抗力）が加わる。このような場合でも、弁体５０の他方側Ｌ２の端部５７とケース２０の底壁２１との間にはわずかな隙間が空いているため、第２方向Ｂへの流体の移動がわずかに許容される。それ故、ロータ３０（回転軸４０）は、負荷が加わるものの、低速度での第１方向Ａへの回転が許容される。
【００４６】
これに対して、図１に示す便座５が平伏姿勢から起立姿勢に回転する開動作の際、ロータ３０（回転軸４０）が軸線Ｌ周りに第２方向Ｂに回転する。このため、弁体５０は、流体１２から圧力を受けて回転し、先端部５２が第１凸部４６１の側に向けて移動する。その結果、先端部５２の径方向外側部分とケース２０の胴部２２の内周面２２０との間には隙間があく。従って、弁体５０および弁体支持用凸部４６では、第１方向Ａへの流体の移動が許容される結果、ロータ３０（回転軸４０）には負荷が加わらない。
【００４７】
（本形態の主な効果）
以上説明したように、本形態の流体ダンパ装置１０においては、ケース２０の軸線Ｌ方向の一方側Ｌ１の端部２５には、回転軸４０が貫通する穴６１を備えたカバー６０が溶着により固定されているため、ダンパ室１１内の圧力（ケース２０内の圧力）は、回転軸４０のフランジ部（第１フランジ部４３および第２フランジ部４４）を介してカバー６０で受けている。ここで、ケース２０の内周面２２０には、カバー６０が一方側Ｌ１から当接する環状の段部２２７が形成され、段部２２７より一方側Ｌ１では、カバー６０の外周面６２とケース２０の内周面２２０とが溶着されている。このため、カバー６０の寸法がばらついても、カバー６０のケース２０内への押し込み量を安定させることができる。それ故、ダンパ室１１内の容積が変動することを抑制することができるので、ダンパ性能が安定する。また、カバー６０のケース２０内への押し込み量は、段部２２７によって規制さ
れるため、カバー６０の外周面６２とケース２０の内周面２２０とを溶着する際、カバー６０と回転軸４０の第２フランジ部４４とが溶着されることを防止することができる。
【００４８】
また、本形態では、カバー６０の外周面６２に形成された雄ねじ６６と、ケース２０の内周面２２０に形成された雌ねじ２２６とによってケース２０に固定されている。このため、軸線Ｌ方向の固定強度が高く、カバー６０をケース２０に適正に固定することができる。従って、ダンパ室１１内の圧力が過度に高まった際でも、カバー６０が外側に押し出されるという事態が発生しにくい。この場合でも、カバー６０の外周面６２とケース２０の内周面２２０との溶着によって、ケース２０に対するカバー６０の周り止めが行われている。従って、ケース２０の内側でカバー６０が回ってカバー６０の位置がずれることを確実に防止することができる。
【００４９】
また、ケース２０およびカバー６０は、樹脂成形品であるため、ケース２０およびカバー６０を成形する際、雌ねじ２２６および雄ねじ６６を同時に形成することができる。それ故、流体ダンパ装置１０のコストを低減することができる。
【００５０】
［実施の形態１の変形例］
図７は、本発明の実施の形態１の変形例に係る流体ダンパ装置１０の断面図である。なお、本形態の基本的な構成は、実施の形態１と同様であるため、共通する部分には同一の符号を付してそれらの説明を省略する、
図７に示すように、本形態の流体ダンパ装置１０において、ケース２０の外径が、段状の切り換え部２４０によって切り換わっており、ケース２０の外径は、切り換え部２４０より一方側Ｌ１では小径になっている。このため、カバー６０の外周面６２とケース２０の内周面２２０とが溶着されている部分のケース２０の外径Ｄ１が、段部２２７が位置する部分のケース２０の外径Ｄ２より小径になっている。かかる構成によれば、ケース２０の外周面２４において、超音波溶着用のホーンを当接させる個所が分かりやすいという利点がある。その他の構成は、実施の形態１と同様である。
【００５１】
［実施の形態２］
図８は、本発明の実施の形態２係る流体ダンパ装置１０の断面図である。なお、本形態の基本的な構成は、実施の形態１と同様であるため、共通する部分には同一の符号を付してそれらの説明を省略する、
実施の形態１では、カバー６０をケース２０の内側に雄ねじ６６と雌ねじ２２６とによって固定した後、溶着を行ったが、本形態では、図８に示すように、雄ねじ６６および雌ねじ２２６を設けずに、カバー６０をケース２０の内側に嵌めた後、カバー６０の外周面６２とケース２０の内周面２２０とを溶着する。ここで、カバー６０の外周面６２およびケース２０の内周面２２０のうちの一方面には、段部２２７より一方側Ｌ１で他方面に向けて突出した凸部が形成され、凸部と他方面とが溶着されている。図８に示す形態では、カバー６０の外周面６２には、段部２２７より一方側Ｌ１でケース２０の内周面２２０に向けて突出した凸部６２ａが形成され、凸部６２ａとケース２０の内周面２２０とが溶着されている。ここで、凸部６２ａは、軸線Ｌ方向の１個所で全周にわたって延在している。但し、凸部６２ａは、軸線Ｌ方向の複数個所に形成してもよい。なお、図示を省略するが、ケース２０の内周面２２０に、段部２２７より一方側Ｌ１でカバー６０の外周面６２に向けて突出した凸部を設け、かかる凸部とカバー６０の外周面６２とを溶着してもよい。その他の構成は、実施の形態１と同様である。
【００５２】
（他の実施の形態）
上記実施の形態では、便座５が連結される流体ダンパ装置１０を例示したが、洗濯機（ダンパ付き機器）において、洗濯機本体（機器本体）に回転可能に取り付けられた蓋（開閉部材）等に連結される流体ダンパ装置１０に本発明を適用してもよい。
【符号の説明】
【００５３】
１・・洋式便器（ダンパ付き機器）、２・・便器本体（機器本体）、５・・便座（開閉部材）、６・・便蓋（開閉部材）、１０・・流体ダンパ装置、１１・・ダンパ室、１２・・流体、２０・・ケース、２１・・底壁、２２・・胴部、２３・・仕切り用凸部、２５・・端部、３０・・ロータ、５０・・弁体、６０・・カバー、６１・・カバーの穴、６２・・カバーの外周面、６２ａ、６６ａ、２２６ｂ、・・凸部、６３・・カバーの端面、６４・・カバーの凹部、６６・・雄ねじ、６６ｂ、２２６ａ・・螺旋溝、１００・・洋式トイレユニット、２２０・・ケースの内周面、２２６・・雌ねじ、２２７・・段部、Ｌ・・軸線、Ｌ１・・一方側、Ｌ２・・他方側
【図１】
2016223538.tif 000003
【図２】
2016223538.tif 000004
【図３】
2016223538.tif 000005
【図４】
2016223538.tif 000006
【図５】
2016223538.tif 000007
【図６】
2016223538.tif 000008
【図７】
2016223538.tif 000009
【図８】
2016223538.tif 000010